(57)【要約】【課題】  内気導入口付近で生じる騒音の低減を図ることにある。【解決手段】  内気導入口１０と外気導入口１１とを有し、これらから内気又は外気を選択的に導入する内外気切換ドア１５を有する内外気切換ボックス８をブロワ３の上流に設けられた自動車用ブロワユニットにおいて、前記内気導入口１０にベルマウス状の導入案内１３を設けたこと。【選択図】        図１
2006076471.tif 000002
【特許請求の範囲】
【請求項１】
内気導入口と外気導入口とを持ち、これらから内気又は外気を選択的に導入を制御する内外気切換ドアを有する内外気切換ボックスをブロワの上流に有する自動車用ブロワユニットにおいて、
前記内気導入口にベルマウス状の導入案内を設けたことを特徴とする自動車用ブロワユニット。
【請求項２】
前記導入案内を別体部品としたことを特徴とする請求項１記載の自動車用ブロワユニット。
【請求項３】
前記内気導入口が前記ブロワのモータ軸の延長上にあることを特徴とする請求項１記載の自動車用ブロワユニット。
【発明の詳細な説明】
【技術分野】
【０００１】
この発明は、内気と外気を選択的に導入する内外気切換ボックスをブロワの上流に有する自動車用ブロワユニットにおいて、内気導入口に発生する騒音を低減させるための改良に関する。
【背景技術】
【０００２】
自動車用空調装置内へ内気又は外気を導入するため、ブロワユニットがその上流側に設けられている。このブロワユニットは、ブロワとその上流に設けられた切換ボックスにより構成され、古くから特許文献１のような構造であった。即ち、内外気切換ボックス（名称及び符号なし）は、外気吸入口６と内気吸入口７を持ち、しかも両口を選択するインテーク切替ドア９を有していた。前記内気吸入口７は図示のように、その平面的なインテークケース上に開口され、四角形状のものが主流であった。
【特許文献１】実開平５−６８７０５
【０００３】
インテーク切替ドア（内外気切換ドア）を動かし、外気吸入口から内気吸入口に切換えると、騒音を遮断するものがなく、その騒音が車室内に伝えられ、乗員に不快感を与えていた。しかも、古くはインストルメントパネルの内側に吸音材が貼着されていて、吸音が行われていたが、近年インストルメントパネルの内側に吸音材の貼着が皆無となってきている。
【０００４】
そこで、ブロワユニットからもれる騒音を防止するために、特許文献２に示すような構成が提案されている。即ち、内気吸入口８の先（上流側）に内側に吸音材を取付けた筒体を取付けて、車室内に騒音が漏れるのを防いでいた。
【特許文献２】特開昭６１−２２０９１１
【発明の開示】
【発明が解決しようとする課題】
【０００５】
ブロワユニットの騒音源は、ブロワの回転による空気の圧縮時に引き起こされるものばかりでなく、内気導入口における風切音の発生も大きな原因であることが判明している。その原因は、内気導入口付近には、いろいろな車両の部品があり、吸込まれる空気が乱流を起こしているからであった。
【０００６】
そこで、この発明は、内気導入口に至る空気の乱流を防ぐことにより、該内気導入口付近での騒音の発生を防ぐことにある。
【課題を解決するための手段】
【０００７】
この発明に係るブロワユニットは、内気導入口と外気導入口とを持ち、これらから内気又は外気を選択的に導入を制御する内外気切換ドアを有する内外気切換ボックスをブロワの上流に有する自動車用ブロワユニットにおいて、前記内気導入口にベルマウス状の導入案内を設けたことにある（請求項１）。
これにより、内気導入口に入る際に、外方にゆるやかに広がるベルマウス状の導入案内により導かれ、内気が整流されて内気導入口に至り、内気の整流作用から乱流による騒音の低減が図れるようになった。
【０００８】
前記導入案内は、内外気切換ボックスと一体化して形成されていたが、別体部品としても良い（請求項２）。前記内気導入口が前記ブロワのモータ軸の延長上にあるようにすれば（請求項３）、内気導入口より導入の内気の整流作用をさらに促進させ、騒音の低減効果に再に寄与させることができる。
【発明の効果】
【０００９】
以上のように、この発明によれば、ベルマウス状の導入案内により内気が整流されて内気導入口に入るために、乱流による騒音が抑えられるものである。また、ブロワを回転させるモータのモータ軸の延長上に内気導入口を設ければ、より確実に整流させることができ、さらに騒音を低減させることができる。
【発明を実施するための最良の形態】
【００１０】
以下、この発明の実施例を図面にもとづいて説明する。
【実施例１】
【００１１】
図１及び図２において、自動車用ブロワユニット１が示され、ブロワケース２内に遠心形のブロワ３が配され、前記ブロワケース２の下面に固着されたモータ４の回転力がモータ軸５を介して前記ブロワ３に伝えられる。前記モータ４の駆動によりブロワ３は回転され、ベルマウス７を介して導入の内気又は外気を圧縮して下流側の図示しない空調装置に送っている。
【００１２】
内外気切換ボックス８は、内気と外気を選択的に導入するためのもので、前記したケース２の上方にそのボックス本体９が立設され、内気（車室内空気）を導入するための内気導入口１０を上面に、外気を導入するための外気導入口１１がその側面に形成されている。前記内気導入口１０は、前記したブロワ３に回転力を伝えるモータ軸５の延長した上方位置に設けられることが好ましい。また、内気導入口１０は、その内気流入側にベルマウス状の導入案内１３が設けられている。
【００１３】
導入案内１３は断面が円弧状を成し、内気の導入時に内気が図２に示す矢印のように整流される。即ち、内気導入口１０に対峙する側に自動車の種々の機器があり、内気はそれらにより影響を受けて乱流となって導入されるが、前述の導入案内１３により矢印のように流され、導入時の騒音が低減される。
【００１４】
１５は、前記内外気切換ボックス８内に配されている内外気切換ドアで、支軸１６を支点として、図示しない回転駆動体からの出力により適宜動かされ、図示のような位置では、内気導入口１０が閉じられ、外気導入口１１が開かれて、外気が吸い込まれている。１７は外気導入口１１に連通の外気導入管である。
【実施例２】
【００１５】
この発明の第２の実施例が示され、前記した第１の実施例を相違する所は、導入案内１３が前記内外気切換ボックス８に形成の内気導入口１０に着脱自在としたことにある。即ち、導入案内１３の一端に嵌合用段部１４を設けて、この嵌合用段部１４により、内気導入口１０に嵌め込んでいる。この第２の実施例の内気導入口１０によっても内気を整流することができ、内気導入口１０にて起こる騒音を低減することができる。その他の部分は、前記した第１の実施例と同一のため、同一部分に同一の符号を付して説明を省略する。
【図面の簡単な説明】
【００１６】
【図１】この発明の第１の実施例を示す縦断面図である。
【図２】同上の内気導入口付近の拡大断面図である。
【図３】この発明の第２の実施例を示し、内気導入口付近の拡大断面図である。
【符号の説明】
【００１７】
１  自動車用ブロワユニット
２  ブロワケース
３  ブロワ
４  モータ
５  モータ軸
７  ベルマウス
８  内外気切換ボックス
９  ボックス本体
１０  内気導入口
１１  外気導入口
１３  導入案内
１４  嵌合用段部
１５  内外気切換ドア
【図１】
2006076471.tif 000003
【図２】
2006076471.tif 000004
【図３】
2006076471.tif 000005